(57)【要約】【課題】抜型に面版を仮止めする位置決めピンを取外す作業を簡易、かつ効率的に行うことができる。上プレス盤に抜型を取り付けたままの状態で位置決めピンを取外すことができ、抜型と面版との位置決め状態を保つことができる。【解決手段】抜型３  には面版１９に形成された係合孔２５ｂに挿嵌して罫線刃１９と凹所２５ａとが一致した状態で面版１９を仮止めする複数本の位置決めピン１５を着脱可能に設ける。各位置決めピン１５には抜型３  から取外す際に取外し治具２９が係止する係止部２３ｂを形成する。【選択図】        図３
2006142401.tif 000002
【特許請求の範囲】
【請求項１】
シート材を所望の形状に打抜く抜刃及び必要に応じて製品に罫線を形成する罫線刃が設けられた抜型が取付けられる上プレス盤と罫線刃に一致する凹所が設けられた面版が取付けられる下プレス盤とを相対移動してシート素材から抜刃に一致する所望の形状の製品を打抜く打抜き機において、抜型には面版に形成された係合孔に挿嵌して罫線刃と凹所とが一致した状態で面版を仮止めする複数本の位置決めピンを着脱可能に設けると共に各位置決めピンには抜型から取外す際に取外し治具が係合する被係止部を形成した抜型。
【請求項２】
請求項１において、抜刃の少なくとも一方側面には先端が抜刃の刃先より突出する弾性部材を取付けた抜型。
【請求項３】
請求項１において、下プレス盤に相対する面版の一面には粘着シートを貼着した抜型。
【請求項４】
請求項１において、位置決めピンは抜型の取付け板に予め形成された差込み穴に挿嵌して着脱可能に取付けられる抜型。
【請求項５】
一端面が抜型の盤面に当接すると共に他端部に把持部が設けられた本体と、一腕部に軸支部を有すると共に他腕部に操作部を有して本体に回動可能に軸支されるレバーと、該レバーの一腕部に上部が回動可能に軸支されると共に下部に抜型に取付けられた位置決めピンの被係止部に係合する係合部が設けられた抜き部材とからなる位置決めピンの取外し治具。
【請求項６】
請求項５において、レバーの一腕部に長孔を形成し、該長孔内を摺動する軸に抜き部材の上部を回動可能に軸支した位置決めピンの取外し治具。
【請求項７】
請求項６において、レバーの一端部側に溝を形成し、該溝内に抜き部材を移動可能に支持した位置決めピンの取外し治具。
【発明の詳細な説明】
【技術分野】
【０００１】
本発明は、打抜き機の抜型及び位置決めピンの取外し治具に関する。
【背景技術】
【０００２】
打抜き機においては、上プレス盤に、抜刃及び必要に応じて罫線刃が設けられた抜型を取付けると共に下プレス盤に、上記抜刃及び罫線刃に一致する凹所が形成された面版を取付け、上プレス盤及び下プレス盤の相対移動に伴って両者間に供給された段ボール紙、厚手クラフト紙、合成樹脂シート等の各種シート素材を所望の形状に打抜くと共に折目を形成している。
【０００３】
上記した打抜き機においては、抜型と面版とが高い位置精度で相対するようにそれぞれプレス盤に取付ける必要がある。従来は、例えば特許文献１に示すように抜刃や罫線刃が取付けられる抜型の取付け板に複数の取付け孔を形成し、これら取付け孔内に位置決めピンを、その先端が抜刃や罫線刃の先端から若干突出するように挿嵌すると共に、これら各位置決めピンの先端部を、面版に形成されたそれぞれの位置決め孔に挿嵌して抜型に面版を仮止めさせる。そして該面版の抜型と反対の面には貼着シートが予め貼着されており、例えば打抜き作業に先だって抜型を下プレス盤に向って移動して面版を下プレス盤に粘着させた後、上プレス盤を元に戻して面版の位置決め孔から位置決めピンを離脱させることにより抜型にたいして面版を位置決めした状態で取付ける。
【０００４】
しかし、下プレス盤に面版を取付けた後の打抜き作業においては、位置決めピンが邪魔になるため、打抜き作業を開始するに当たって抜型から位置決めピンを取外す必要があるが、上記したように下プレス盤に対する面版を粘着時に位置決めピン自体が下プレス盤に圧設して取付け板へ強固に圧入されるため、抜型の取付け板から位置決めピンを取外すのに手間がかかっていた。特に、上プレス盤に抜型を取り付けたままの状態で位置決めピンを取外すには、作業姿勢が不自然になって手間がかかっていた。
【０００５】
抜型から位置決めピンを短時間に取外す必要から、抜型を上プレス盤から一旦、取外して位置決めピンを取外すことができるが、この場合にあっては、位置決めピンが取外された抜型を上プレス盤に再度取付ける際に、下プレス盤に粘着された面版に対して抜型を高い精度で位置決めして取付ける必要があり、その取付け作業に手間がかかり、作業性が悪かった。
【特許文献１】特開平７−１７１７９５号公報
【発明の開示】
【発明が解決しようとする課題】
【０００６】
解決しようとする問題点は、抜型に面版を仮止めする位置決めピンを取外す際に手間がかかり、作業性が悪い点にある。また、上プレス盤から抜型を取外して位置決めピンを取外す場合には、上プレス盤に対する抜型の再装着時に抜型と面版とが位置ずれする点にある。
【課題を解決するための手段】
【０００７】
請求項１の抜型は、シート材を所望の形状に打抜く抜刃及び必要に応じて製品に罫線を形成する罫線刃が設けられた抜型が取付けられる上プレス盤と罫線刃に一致する凹所が設けられた面版が取付けられる下プレス盤とを相対移動してシート素材から抜刃に一致する所望の形状の製品を打抜く打抜き機において、抜型には面版に形成された係合孔に挿嵌して罫線刃と凹所とが一致した状態で面版を仮止めする複数本の位置決めピンを着脱可能に設けると共に各位置決めピンには抜型から取外す際に取外し治具が係止する係止部を形成したことを特徴とする。
【０００８】
請求項５の取外し治具は、一端面が抜型の盤面に当接すると共に他端部に把持部が設けられた本体と、一腕部に軸支部を有すると共に他腕部に操作部を有して本体に回動可能に軸支されるレバーと、該レバーの一腕部に上部が回動可能に軸支されると共に抜型に取付けられた位置決めピンの被係止部に係合する係合部が設けた抜き部材とからなることを特徴とする。
【発明の効果】
【０００９】
本発明は、抜型に面版を仮止めする位置決めピンを取外す作業を簡易、かつ効率的に行うことができる。上プレス盤に抜型を取り付けたままの状態で位置決めピンを取外すことができ、抜型と面版との位置決め状態を保つことができる。
【発明を実施するための最良の形態】
【００１０】
本発明の抜型は、抜型に面版を仮止めする位置決めピンに被係止部を形成し、取外し治具が係合できるようにする。また、取外し治具は、レバーの回動操作により位置決めピンの被係止部に係合する抜部材を移動して位置決めピンを引抜可能にする。
【実施例】
【００１１】
以下に実施形態を示す図に従って本発明を説明する。
図１及び図３において、打抜き機（図示せず）の本体フレーム（図示せず）には下プレス盤（図示せず）が設けられると共に上プレス盤（図示せず）が、その下面が下プレス盤の上面と平行で、下プレス盤に対して接近及び離間する方向へ昇降するように支持されている。該上プレス盤は連結されたシリンダーやクランク機構の昇降部材（図示せず）により昇降駆動される。
【００１２】
上記下プレス盤の上面には厚さがほぼ均一な木質定板１が取付けられている。また、上プレス盤の下面には抜型３が取付けられている。該抜型３は上プレス盤の下面に固定され、厚さがほぼ均一な木質取付け板５の下面に、所望の製品形状に一致して配置され、一定の高さで突出する抜刃７及び段ボール紙、厚手クラフト紙、合成樹脂シート等のシート素材９から製品９ａを打抜く際に折目である罫線９ｂを形成する罫線刃１１を取付けて構成される。
【００１３】
また、抜刃７の内側に位置する木質取付け板５には複数の取付け孔１３が形成され、各取付け孔１３には位置決めピン１５が、その先端が罫線刃１１先端から若干突出する高さとなるように挿嵌されている。各位置決めピン１５は、その先端に位置決め用の段付き小径部１５ａ及び被係止部としての係止用小径部１５ｂがそれぞれ形成されている。
【００１４】
木質取付け板５にはウレタンゴム等の弾性部材１７が、各抜刃７の両面側に位置し、その先端が抜刃７の刃先から突出する高さで取付けられている。図は抜刃７の両面側に弾性部材１７を取付けた例を示すが、抜刃７の一面側に弾性部材１７を取付けた構成であってもよい。
【００１５】
各位置決めピン１５の先端部には面版１９が予め取付けられている。該面版１９は厚さがほぼ均一なベークライト等の硬質樹脂からなり、製品９ａより若干小さい相似形状で、罫線刃１１に対応する箇所に罫線刃用凹所１９ａが形成されている。また、面版１９は位置決めピン１５に相対する箇所に、該位置決めピン１５の段付き小径部１５ａが挿嵌される係合孔１９ｂがそれぞれ形成され、これら係合孔１９ｂに対して各位置決めピン１５の段付き小径部１５ａを挿嵌することにより抜型３に面版１９を仮止めさせる。このとき、罫線刃１１は罫線刃用凹所１９ａに一致している。
【００１６】
更に、面版１９の下面には粘着シート２１が全体にわたって貼り付けられている。該粘着シート２１の下面側（下プレス盤に相対する面）には剥離紙（図示せず）が積層され、抜型３に対して面版１９を仮止めした状態においては、両面粘着シート２１の下面を非粘着状態にしている。
【００１７】
ピン抜き治具２３は、先端面が木質取付け板５の板面に押当てられる平面を有すると共に上部に取手２５ａが形成された本体２５と、本体２５の下部に回動可能に軸支され、一腕部に軸支部２７ａを有すると共に他腕部に操作部２７ｂを有したレバー２７と、該レバー２７の軸支部２７ａに回動可能に軸支され、先端部に位置決めピン１５の係止用小径部１５ｂに係合する係合部としての小径凹部２９ａ及び係止用小径部１５ｂより先端側の位置決めピン１５先端部に係合する大径凹部２９ｂを有した抜き部材２９とから構成される。レバー２７の一腕部は回動中心から軸支部２７ａに至る長さが、木質取付け板５の取付け孔１３から位置決めピン１５を抜出すのに必要な長さに設定されている。
【００１８】
次に、抜型３による面版１９の取付け作用及び位置決めピン１５の取外し作用を説明する。
上記したように上プレス盤に取付けられる抜型３には面版１９が、位置決めピン１５の段付き小径部１５ａを面版１９の係合孔１９ｂに挿嵌した状態で、かつ罫線刃用凹所１９ａに罫線刃１１の刃先が一致して仮止めされている。この状態で面版１９から剥離紙を剥がして粘着シート２１を粘着可能にした後に、上プレス盤を下プレス盤に向かって移動して面版１９を木質定板１に粘着させる。このとき、面版１９を係止する位置決めピン１５は木質定板１に対する圧接により取付け孔１３内へ押込まれる。また、弾性部材１７は木質定板１に対する圧接により弾性変形し、各抜刃７の刃先を木質定板１に対して若干喰い込ませる。（図４参照）
【００１９】
その後、上プレス盤を下プレス盤から離間する方向へ移動させると、面版１９が木質定板１に粘着されているため、係合孔１９ｂ内から段付き小径部１５ａが離脱して木質定板１上における面版１９の固定状態を保って取付ける。このとき、面版１９の罫線刃用凹所１９ａに対し、罫線刃１１が一致するように抜型３と面版１９とが相対するように位置決めされる。（図５参照）
【００２０】
次に、抜型３の木質取付け板５にピン抜き治具２３の本体２５の先端面を押し当てた状態で抜き部材２９の小径凹部２９ａに位置決めピン１５の係止用小径部１５ｂを、また大径凹部２９ｂに位置決めピン１５の段付き小径部１５ａをそれぞれ係合させた後に、レバー２７を回動操作して抜き部材２９を図示する上方へ移動することにより木質取付け板５の取付け孔１３内に挿嵌された位置決めピン１５を図示する上方へ引き抜いて取外す。この作業の繰り返しにより木質取付け板５に装着された全ての位置決めピン１５を取外す。（図６及び図７参照）
【００２１】
次に、面版１９が取付けられた木質定板１上にシート素材９を供給した状態で上プレス盤を下プレス盤に向かって移動してシート素材９に対し、弾性部材１７を弾性変形させながら抜刃７を作用して製品９ａを打抜き形成すると共に製品９ａに圧接する罫線刃１１により折目である罫線９ｂを形成する。（図８参照）
【００２２】
打抜き作業後に上プレス盤を上方へ移動すると、弾性部材１７の弾性復帰に伴って製品９ａ及び製品９ａが打抜かれたシート素材９を木質定板１へ押し返して製品９ａやシート素材９を抜型３から離脱させる。（図９参照）
【００２３】
本実施例は、抜型３に対して面版１９を仮止めする位置決めピン１５に係止用小径部１５ｂを形成することによりピン抜き治具２３による位置決めピン１５の取外しを確実に行うことができる。また、ピン抜き治具２３を使用することにより上プレス盤から抜型３を取外すことなく、位置決めピン１５を取外すことができ、取外し作業を簡易、かつ短時間に行うことができる。
【００２４】
本発明は、以下のように変更実施することができる。
１．図１０に示すようにピン抜き治具２３におけるレバー２７の一腕部の先端部に長孔２７ｃを形成し、該長孔２７ｃ内にて抜き部材２９の上部に支持された軸５１を摺動可能に支持して取付ける。これによりレバー２７の回動操作に伴って抜き部材２９を本体２５に沿って真っ直ぐ移動させて位置決めピン１５を引き抜くことを可能にする。
【００２５】
２．上記１の変更例においては、図１１に示すように本体２５に溝２５ｂを形成し、該溝２５ｂに対して抜き部材２９を移動可能に支持することによりレバー２７の回動操作に伴って抜き部材２９を本体２５に沿って真っ直ぐ移動させて位置決めピン１５を引き抜くことを可能にする。
【図面の簡単な説明】
【００２６】
【図１】抜型と面版とを示す説明図である。
【図２】抜型に面版を取付けた状態を示す断面説明図である。
【図３】ピン抜き治具の概略を示す斜視図である。
【図４】面版の取付け状態を示す説明図である。
【図５】面版取付け後に上プレス盤を上方へ移動した状態を示す説明図である。
【図６】位置決めピンの取外し状態を示す説明図である。
【図７】位置決めピンの取外し状態を示す説明図である。
【図８】シート素材の打抜き状態を示す説明図である。
【図９】打抜き後に上プレス盤を上方へ移動した状態を示す説明図である。
【図１０】変更例を示す説明図である。
【図１１】変更例を示す説明図である。
【符号の説明】
【００２７】
３  抜型
７  抜刃
１１  罫線刃
１５  位置決めピン
１５ｂ  被係止部としての係止用小径部
１９  面版
１９ａ  罫線刃用凹所
１９ｂ  係合孔
２３  ピン抜き治具
２７  レバー
２９  抜き部材
２９ａ  係合部としての小径凹部
【図１】
2006142401.tif 000003
【図２】
2006142401.tif 000004
【図３】
2006142401.tif 000005
【図４】
2006142401.tif 000006
【図５】
2006142401.tif 000007
【図６】
2006142401.tif 000008
【図７】
2006142401.tif 000009
【図８】
2006142401.tif 000010
【図９】
2006142401.tif 000011
【図１０】
2006142401.tif 000012
【図１１】
2006142401.tif 000013